(57)【特許請求の範囲】
【請求項１】
認識パターンを含む透明型または光透過型のフレキシブル表示パネル、
前記フレキシブル表示パネルの表示面積が可変的に露出されるように、前記フレキシブル表示パネルが内部に一方向に出入するハウジング、および
前記ハウジングに位置し、前記認識パターンを認識して前記フレキシブル表示パネルの表示面積をセンシングするセンサ、
を含み、
前記認識パターンは、光を透過させる第３サブパターンおよび光を遮断する第４サブパターンを含み、
前記第３サブパターンおよび前記第４サブパターンは前記一方向に沿って交互に配置され、
前記センサは、前記認識パターンを間に置いて互いに対向して配置される発光部および受光部を含むフォトセンサである、表示装置。
【請求項２】
前記センサおよび前記フレキシブル表示パネルと連結しており、前記センサがセンシングした前記フレキシブル表示パネルの表示面積に対応するイメージを前記フレキシブル表示パネルに表示する制御部をさらに含む、請求項１に記載の表示装置。
【請求項３】
前記フレキシブル表示パネルは、前記イメージを表示する表示領域および前記表示領域に隣接する非表示領域をさらに含み、
前記認識パターンは前記非表示領域に位置する、請求項２に記載の表示装置。
【請求項４】
前記ハウジングは、
前記ハウジング内部に位置し、前記フレキシブル表示パネルが巻かれるロール部を含む、請求項１〜３のうちのいずれか一項に記載の表示装置。
【発明の詳細な説明】
【技術分野】
【０００１】
本発明は、表示装置に関し、より詳細には、フレキシブル（ｆｌｅｘｉｂｌｅ）表示パネルを含む表示装置に関する。
【背景技術】
【０００２】
表示装置はイメージを表示する装置であって、最近ではフレキシブル表示装置（ｆｌｅｘｉｂｌｅ  ｄｉｓｐｌａｙ  ｄｅｖｉｃｅ）が注目を集めている。
【０００３】
従来のフレキシブル表示装置は、イメージ（ｉｍａｇｅ）を表示するフレキシブル表示パネルを含む装置であって、フレキシブル表示パネルの柔軟性に伴ってフレキシブル表示パネルを折り曲げたりロール（ｒｏｌｌ）に巻いたりすることにより、全体的なフレキシブル表示装置のサイズを小さくして携帯することができた。
【先行技術文献】
【特許文献】
【０００４】
【特許文献１】大韓民国特許公報第２０１１−００４８７０５号公報
【発明の概要】
【発明が解決しようとする課題】
【０００５】
本発明の一実施形態は、フレキシブル表示パネルのフレキシブル特性に最適化したイメージを表示する表示装置を提供することを目的とする。
【課題を解決するための手段】
【０００６】
上記課題を解決するために、本発明のある観点によれば、認識パターンを含むフレキシブル（ｆｌｅｘｉｂｌｅ）表示パネル、前記フレキシブル表示パネルの表示面積が可変的に露出されるように、前記フレキシブル表示パネルが内部に出入するハウジング、および
前記ハウジングに位置し、前記認識パターンを認識して前記フレキシブル表示パネルの表示面積をセンシングするセンサ、を含む表示装置が提供される。
【０００７】
また、前記表示装置は、前記センサおよび前記フレキシブル表示パネルと連結しており、前記センサがセンシングした前記フレキシブル表示パネルの表示面積に対応するイメージ（ｉｍａｇｅ）を前記フレキシブル表示パネルに表示する制御部をさらに含んでもよい。
【０００８】
前記フレキシブル表示パネルは、前記イメージを表示する表示領域および前記表示領域に隣接する非表示領域をさらに含み、前記認識パターンは前記非表示領域に位置してもよい。
【０００９】
前記フレキシブル表示パネルは、前記ハウジングに対して一方向に出入し、前記認識パターンは、前記一方向に沿って前記フレキシブル表示パネルに形成されてもよい。
【００１０】
前記認識パターンは、前記一方向に沿って互いに交互に配置され、光を吸収する第１サブパターンおよび光を反射する第２サブパターンを含み、前記センサは、互いに隣接して配置される第１発光部および第１受光部を含むフォトセンサであってもよい。
【００１１】
前記認識パターンはバーコード形態を有し、前記センサは前記バーコードを認識してもよい。
【００１２】
前記認識パターンは記号形態を有し、前記センサは前記記号を認識してもよい。
【００１３】
前記認識パターンは、前記一方向に沿って互いに交互に配置され、光を透過させる第３サブパターンおよび光を遮断する第４サブパターンを含み、前記センサは、前記認識パターンを間に置いて互いに対向して配置される第２発光部および第２受光部を含むフォトセンサであってもよい。
【００１４】
前記ハウジングは、前記ハウジング内部に位置し、前記フレキシブル表示パネルが巻かれるロール部を含んでもよい。
【発明の効果】
【００１５】
以上説明したように本発明の一実施形態によれば、フレキシブル表示パネルのフレキシブル特性に最適化したイメージを表示する表示装置を提供することができる。
【図面の簡単な説明】
【００１６】
【図１】本発明の第１実施形態に係る表示装置を示す図である。
【図２】本発明の第１実施形態に係る表示装置のフレキシブル表示パネルを示す図である。
【図３】本発明の第１実施形態に係る表示装置のセンシング方法を説明するための図である。
【図４】本発明の第１実施形態に係る表示装置のフレキシブル表示パネルが表示するイメージを示す図である。
【図５】本発明の第２実施形態に係る表示装置のフレキシブル表示パネルを示す図である。
【図６】本発明の第３実施形態に係る表示装置のフレキシブル表示パネルを示す図である。
【図７】本発明の第４実施形態に係る表示装置のフレキシブル表示パネルを示す図である。
【図８】本発明の第４実施形態に係る表示装置のセンシング方法を説明するための図である。
【発明を実施するための形態】
【００１７】
以下、添付の図面を参照しながら、本発明の多様な実施形態について、本発明が属する技術分野において通常の知識を有する者が容易に実施できるように詳しく説明する。本発明は多様に相違した形態で実現することができ、ここで説明される実施形態に限定されるものではない。
【００１８】
本発明を明確に説明するために、説明上において不必要な部分は省略し、明細書全体に渡って同一または類似する構成要素については同一する参照符号を付与する。
【００１９】
また、多様な実施形態において、同一する構成を有する構成要素については同一する符号を用いて代表的に第１実施形態で説明し、その他の実施形態では第１実施形態とは異なる構成についてのみ説明する。
【００２０】
また、図面に示す各構成の大きさおよび厚さは、説明の便宜のために任意に示したものであり、本発明が必ずしも示されたものに限定されることはない。
【００２１】
図面において、多様な層および領域を明確に表現するために、厚さを拡大して示した。また、図面において、説明の便宜のために、一部の層および領域の厚さを誇張して示した。一部分が他の部分の「上に」あるとするとき、これは他の部分の「直ぐ上に」ある場合だけでなく、その中間にさらに他の部分が存在する場合も含む。
【００２２】
また、明細書全体において、ある部分がある構成要素を「含む」とするとき、これは特に反対となる記載がない限り、他の構成要素を除くのではなく、他の構成要素をさらに含むことを意味する。さらに、明細書全体において「〜上に」というのは、対象部分の上または下に位置することを意味するものであり、必ずしも重力方向を基準として上側に位置することを意味するものではない。
【００２３】
以下、図１〜図４を参照しながら、本発明の第１実施形態に係る表示装置について説明する。
【００２４】
図１は、本発明の第１実施形態に係る表示装置を示す図である。図１に示すように、本発明の第１実施形態に係る表示装置は、フレキシブル表示パネル１００と、ハウジング２００と、センサ３００と、制御部４００とを含む。
【００２５】
フレキシブル表示パネル１００は、表示装置で処理されるイメージ（ｉｍａｇｅ）を表示する。一例として、表示装置が携帯電話機などの移動端末器である場合、通話と関連するＵＩ（Ｕｓｅｒ  Ｉｎｔｅｒｆａｃｅ）またはＧＵＩ（Ｇｒａｐｈｉｃ  Ｕｓｅｒ  Ｉｎｔｅｒｆａｃｅ）などのイメージを表示してもよい。
【００２６】
また、フレキシブル表示パネル１００は、互いに対向するフレキシブルな基板またはフィルムなどと、当該対向するフレキシブルな基板またはフィルムなどの間に配置される液晶（ｌｉｑｕｉｄ  ｃｒｙｓｔａｌ）または有機発光素子（ｏｒｇａｎｉｃ  ｌｉｇｈｔ  ｅｍｉｔｔｉｎｇ  ｄｉｏｄｅ）などを含んでもよい。フレキシブル表示パネル１００は、フレキシブル表示パネル１００を通じて外部を見ることができるように、透明型または光透過型で構成されてもよい。フレキシブル表示パネル１００の上面には、タッチフィルム、タッチシート、タッチパッドなどの形態を有してタッチ（ｔｏｕｃｈ）動作を感知するタッチセンサが位置してもよい。
【００２７】
また、フレキシブル表示パネル１００は、制御部４００と連結しており、制御部４００から送信された信号によってイメージを表示する。フレキシブル表示パネル１００は、フレキシブルな特性を有しており、ハウジング２００の内部に出入する。フレキシブル表示パネル１００は、ハウジング２００に対して第１方向に出入し、ハウジング２００の内部に出入しながら表示面積が可変的に外部に露出される。
【００２８】
図２は、本発明の第１実施形態に係る表示装置のフレキシブル表示パネルを示す図である。図２に示すように、フレキシブル表示パネル１００は、イメージを表示する表示領域（ＤＡ）と、表示領域（ＤＡ）に隣接する非表示領域（ＮＤＡ）と、非表示領域（ＮＤＡ）に位置する認識パターン１１０とを含む。
【００２９】
一方、本発明の第１実施形態に係る表示装置は、表示領域（ＤＡ）と非表示領域（ＮＤＡ）がフレキシブル表示パネル１００の上面に位置しているが、本発明はこれに限定されるものではなく、フレキシブル表示パネル１００の上面には表示領域（ＤＡ）が位置し、フレキシブル表示パネル１００の下面には非表示領域（ＮＤＡ）が位置してもよい。一例として、フレキシブル表示パネル１００の上面にイメージが表示されるとき、認識パターン１１０はフレキシブル表示パネル１００の下面に位置してもよく、またはフレキシブル表示パネル１００の上面に位置してもよい。
【００３０】
また、本発明の第１実施形態に係る表示装置の認識パターン１１０は非表示領域（ＮＤＡ）に位置しているが、本発明の他の実施形態に係る表示装置の認識パターン１１０は、イメージが表示される表示領域（ＤＡ）に位置してもよい。
【００３１】
認識パターン１１０は、フレキシブル表示パネル１００の上面、下面、または隣接する両基板の間に位置してもよく、フレキシブル表示パネル１００を構成する配線またはタッチセンサなどを形成するときに同時に形成されてもよい。認識パターン１１０は、フレキシブル表示パネル１００がハウジング２００に対して出入する方向である第１方向に沿って配置されている。認識パターン１１０は、第１方向に沿って互いに交互に配置された第１サブパターン１１１および第２サブパターン１１２を含む。第１サブパターン１１１は光を吸収する黒色を有してもよく、第２サブパターン１１２は光を反射する白色を有してもよい。
【００３２】
再び図１を参照すれば、ハウジング２００は、フレキシブル表示パネル１００の一端を支持し、フレキシブル表示パネル１００の表示面積が可変的に露出されるようにフレキシブル表示パネル１００を内部に出入する。ハウジング２００は、フレキシブル表示パネル１００が巻かれるロール部２１０を含む。
【００３３】
ロール部２１０はハウジング２００の内部に位置しており、フレキシブル表示パネル１００の一端を支持している。ロール部２１０はフレキシブル表示パネル１００を巻き取り、フレキシブル表示パネル１００がハウジング２００に対して第１方向に出入するようにする。ロール部２１０は受動的または能動的に自転回転してもよく、ロール部２１０が自転回転することに伴い、フレキシブル表示パネル１００はハウジング２００に対して第１方向に出入が可能となる。ハウジング２００の内部にはセンサ３００が位置している。
【００３４】
図３は、本発明の第１実施形態に係る表示装置のセンシング方法を説明するための図である。
【００３５】
図３に示すように、センサ３００は、フレキシブル表示パネル１００の非表示領域（ＮＤＡ）に位置する認識パターン１１０と対応し、ハウジング２００の内部に位置している。センサ３００は、認識パターン１１０を認識してハウジング２００に対して出入し、外部に露出されたフレキシブル表示パネル１００の表示面積をセンシングする。
【００３６】
センサ３００は、互いに隣接して配置される第１発光部３１０および第１受光部３２０を含むフォトセンサである。
【００３７】
第１発光部３１０は認識パターン１１０方向に光を発光し、第１受光部３２０は第１発光部３１０から発光して認識パターン１１０によって反射する光を受光する。
【００３８】
センサ３００は、第１発光部３１０および第１受光部３２０を利用して認識パターン１１０を認識してハウジング２００に対して出入し、外部に露出されたフレキシブル表示パネル１００の表示面積をセンシングする。具体的に、図３（ｂ）に示すように、フレキシブル表示パネル１００がハウジング２００に対して第１方向に出入するとき、第１発光部３１０から発光した光が認識パターン１１０の第２サブパターン１１２のみで反射して第１受光部３２０によって認識されるため、センサ３００は第１受光部３２０で認識された第２サブパターン１１２の個数をカウント（ｃｏｕｎｔ）してフレキシブル表示パネル１００がハウジング２００に対して第１方向に出入し、露出された表示面積をセンシングする。センサ３００がセンシングしたフレキシブル表示パネル１００の露出された表示面積に関する信号は、制御部４００に送信される。
【００３９】
図４は、本発明の第１実施形態に係る表示装置のフレキシブル表示パネルが表示するイメージを示す図である。
【００４０】
図４に示すように、制御部４００は、センサ３００およびフレキシブル表示パネル１００と連結しており、センサ３００がセンシングしたフレキシブル表示パネル１００の露出された表示面積に対応するイメージをフレキシブル表示パネル１００に表示する。
【００４１】
具体的に、図４（ａ）に示すように、フレキシブル表示パネル１００がハウジング２００に対して第１方向に第１出入して第１表示面積（ＤＳ１）が露出されれば、センサ３００はこの第１表示面積（ＤＳ１）をセンシングして第１表示面積（ＤＳ１）に関する信号を制御部４００に送信し、制御部４００はこの信号を受信してフレキシブル表示パネル１００の第１表示面積（ＤＳ１）に対応する第１サイズのイメージを表示する。
【００４２】
また、図４（ｂ）に示すように、フレキシブル表示パネル１００がハウジング２００に対して第１方向に第２出入し、第１表示面積（ＤＳ１）に比べて大きい第２表示面積（ＤＳ２）が露出されれば、センサ３００はこの第２表示面積（ＤＳ２）をセンシングして第２表示面積（ＤＳ２）に関する信号を制御部４００に送信し、制御部４００はこの信号を受信してフレキシブル表示パネル１００の第２表示面積（ＤＳ２）に対応する第２サイズのイメージを表示する。
【００４３】
さらに、図４（ｃ）に示すように、フレキシブル表示パネル１００がハウジング２００に対して第１方向に第３出入し、第２表示面積（ＤＳ２）に比べて大きい第３表示面積（ＤＳ３）が露出されれば、センサ３００はこの第３表示面積（ＤＳ３）をセンシングして第３表示面積（ＤＳ３）に関する信号を制御部４００に送信し、制御部４００はこの信号を受信してフレキシブル表示パネル１００の第３表示面積（ＤＳ３）に対応する第３サイズのイメージを表示する。
【００４４】
以上のように、本発明の第１実施形態に係る表示装置は、センサ３００がフレキシブル表示パネル１００に形成された認識パターン１１０を認識し、ハウジング２００に対して出入して外部に露出されたフレキシブル表示パネル１００の表示面積をセンシングし、この表示面積に対応するイメージがフレキシブル表示パネル１００に表示されることにより、フレキシブル表示パネル１００のフレキシブル特性に最適化したイメージを表示する表示装置が提供される。
【００４５】
特に、本発明の第１実施形態に係る表示装置は、ハウジング２００内部に位置するセンサ３００を利用してフレキシブル表示パネル１００に形成された認識パターン１１０を認識し、ハウジング２００の内部に対して出入して外部に露出されたフレキシブル表示パネル１００の表示面積をセンシングするため、フレキシブル表示パネル１００の露出された板面がハウジング２００から排出されて非線形的に湾曲したとしても、正確にハウジング２００から排出され、外部に露出されたフレキシブル表示パネル１００の表示面積をセンシングすることができる。
【００４６】
すなわち、本発明の第１実施形態に係る表示装置は、フレキシブル表示パネル１００がハウジング２００から排出された後の全体面積をセンシングするのではなく、フレキシブル表示パネル１００がハウジング２００に対して出入するとき、センサ３００がリアルタイムでフレキシブル表示パネル１００の認識パターン１１０を認識して外部に露出されたフレキシブル表示パネル１００の表示面積をセンシングするため、フレキシブル表示パネル１００の露出された板面が柔軟性に伴って非線形的に湾曲したとしても、外部に露出された正確なフレキシブル表示パネル１００の表示面積をセンシングし、この表示面積に対応するサイズのイメージを表示することができる。
【００４７】
さらに、本発明の第１実施形態に係る表示装置は、ロール部２１０の回転数をカウントして間接的にフレキシブル表示パネル１００の表示面積をセンシングしたり、赤外線または超音波などの距離測定手段を利用しながら、広がった後のフレキシブル表示パネル１００の表示面積をセンシングするのではなく、フレキシブル表示パネル１００のフレキシブルな特性を考慮した上で、ハウジング２００に対してフレキシブル表示パネル１００が出入するとき、フレキシブル表示パネル１００に形成された認識パターン１１０をリアルタイムで認識してフレキシブル表示パネル１００の露出された表示面積をセンシングするため、フレキシブル表示パネル１００の可変的な表示面積に対応する正確なサイズのイメージが可変的にフレキシブル表示パネル１００に表示される。これは、表示装置に対するユーザの全体的な満足度を向上させる要因として作用する。
【００４８】
以下、図５を参照しながら、本発明の第２実施形態に係る表示装置について説明する。
【００４９】
図５は、本発明の第２実施形態に係る表示装置のフレキシブル表示パネルを示す図である。図５に示すように、本発明の第２実施形態に係る表示装置のフレキシブル表示パネル１０２は、イメージを表示する表示領域（ＤＡ）と、表示領域（ＤＡ）に隣接する非表示領域（ＮＤＡ）と、非表示領域（ＮＤＡ）に位置する認識パターン１２０とを含む。
【００５０】
認識パターン１２０は、フレキシブル表示パネル１０２の上面、下面、または隣接する両基板の間に位置してもよく、フレキシブル表示パネル１０２を構成する配線またはタッチセンサなどを形成するときに同時に形成されてもよい。認識パターン１２０は、フレキシブル表示パネル１０２がハウジング２００に対して出入する方向の第１方向に沿って配置されている。認識パターン１２０は、第１方向に沿って配置されたバーコード形態を有する。
【００５１】
センサ３００は、認識パターン１２０のバーコードを認識してハウジング２００に対して出入し、外部に露出されたフレキシブル表示パネル１０２の表示面積をセンシングする。
【００５２】
具体的に、フレキシブル表示パネル１０２がハウジング２００に対して第１方向に出入するとき、センサ３００はフレキシブル表示パネル１０２の認識パターン１２０のバーコードを直接スキャン（ｓｃａｎ）し、フレキシブル表示パネル１０２の現在露出された表示面積をセンシングする。
【００５３】
以上のように、本発明の第２実施形態に係る表示装置は、認識パターン１２０がバーコード形態を有しており、センサ３００が認識パターン１２０のバーコードを直接スキャンしてフレキシブル表示パネル１０２の現在露出された表示面積をセンシングし、この表示面積に対応するイメージがフレキシブル表示パネル１０２に表示されることにより、フレキシブル表示パネル１０２のフレキシブル特性に最適化したイメージを表示する表示装置が提供される。
【００５４】
以下、図６を参照しながら、本発明の第３実施形態に係る表示装置について説明する。
【００５５】
図６は、本発明の第３実施形態に係る表示装置のフレキシブル表示パネルを示す図である。図６に示すように、本発明の第３実施形態に係る表示装置のフレキシブル表示パネル１０３は、イメージを表示する表示領域（ＤＡ）と、表示領域（ＤＡ）に隣接する非表示領域（ＮＤＡ）と、非表示領域（ＮＤＡ）に位置する認識パターン１３０とを含む。
【００５６】
認識パターン１３０は、フレキシブル表示パネル１０３の上面、下面、または隣接する両基板の間に位置してもよく、フレキシブル表示パネル１０３を構成する配線またはタッチセンサなどを形成するときに同時に形成されてもよい。認識パターン１３０は、フレキシブル表示パネル１０３がハウジング２００に対して出入する方向の第１方向に沿って配置されている。認識パターン１３０は、第１方向に沿って設定された記号形態を有する。
センサ３００は、認識パターン１３０の設定された記号を認識してハウジング２００に対して出入し、外部に露出されたフレキシブル表示パネル１０３の表示面積をセンシングする。
【００５７】
具体的に、フレキシブル表示パネル１０３がハウジング２００に対して第１方向に出入するとき、センサ３００はフレキシブル表示パネル１０３の認識パターン１３０の設定された記号を直接スキャン（ｓｃａｎ）し、フレキシブル表示パネル１０３の現在露出された表示面積をセンシングする。一例として、認識パターン１３０が設定された記号としてアラビア数字の形態であるとき、センサ３００が数字「５」をスキャンすれば、外部に露出されたフレキシブル表示パネル１０３の表示面積は第５段階を有する状態であるので、フレキシブル表示パネル１０３には第５段階に対応するサイズを有するイメージが表示されてもよい。
【００５８】
以上のように、本発明の第３実施形態に係る表示装置は、認識パターン１３０が設定された記号形態を有しており、センサ３００が認識パターン１３０の設定された記号を直接スキャンしてフレキシブル表示パネル１０３の現在露出された表示面積をセンシングし、この表示面積に対応するイメージがフレキシブル表示パネル１０３に表示されることにより、フレキシブル表示パネル１０３のフレキシブル特性に最適化したイメージを表示する表示装置が提供される。
【００５９】
以下、図７および図８を参照しながら、本発明の第４実施形態に係る表示装置について説明する。
【００６０】
図７は、本発明の第４実施形態に係る表示装置のフレキシブル表示パネルを示す図である。図７に示すように、フレキシブル表示パネル１０４は、イメージを表示する表示領域（ＤＡ）と、表示領域（ＤＡ）に隣接する非表示領域（ＮＤＡ）と、非表示領域（ＮＤＡ）に位置する認識パターン１４０とを含む。
【００６１】
認識パターン１４０は、フレキシブル表示パネル１０４の上面、下面、または隣接する両基板の間に位置してもよく、フレキシブル表示パネル１０４を構成する配線またはタッチセンサなどを形成するときに同時に形成されたり、フレキシブル表示パネル１０４を保護することができる追加的なウィンドウ（ｗｉｎｄｏｗ）に形成されてもよい。
【００６２】
また、認識パターン１４０は、フレキシブル表示パネル１０４がハウジング２００に対して出入する方向である第１方向に沿って配置されている。認識パターン１４０は、第１方向に沿って互いに交互に配置された第３サブパターン１４１および第４サブパターン１４２を含む。第３サブパターン１４１は光を透過させる透明素材またはホール（ｈｏｌｅ）であってもよく、第４サブパターン１４２は光を遮断する不透明素材であってもよい。
【００６３】
図８は、本発明の第４実施形態に係る表示装置のセンシング方法を説明するための図である。図８に示すように、センサ３０４は、フレキシブル表示パネル１０４の非表示領域（ＮＤＡ）に位置する認識パターン１４０と対応してハウジング２００の内部に位置している。センサ３０４は、認識パターン１４０を認識してハウジング２００に対して出入し、外部に露出されたフレキシブル表示パネル１０４の表示面積をセンシングする。
【００６４】
センサ３０４は、認識パターン１４０を間に置いて互いに対向して配置される第２発光部３３０および第２受光部３４０を含むフォトセンサである。
【００６５】
第２発光部３３０は認識パターン１４０方向に光を発光し、第２受光部３４０は第１発光部３１０から発光して認識パターン１４０を透過した光を受光する。
【００６６】
センサ３０４は、第２発光部３３０および第２受光部３４０を利用して認識パターン１４０を認識してハウジング２００に対して出入し、外部に露出されたフレキシブル表示パネル１０４の表示面積をセンシングする。具体的に、フレキシブル表示パネル１０４がハウジング２００に対して第１方向に出入するとき、第２発光部３３０から発光した光が認識パターン１４０の第３サブパターン１４１のみを透過して第２受光部３４０によって認識されるため、センサ３０４は第２受光部３４０で認識された第３サブパターン１４１の個数をカウント（ｃｏｕｎｔ）し、フレキシブル表示パネル１０４がハウジング２００に対して第１方向に出入して露出された表示面積をセンシングする。センサ３０４がセンシングしたフレキシブル表示パネル１０４の露出された表示面積に関する信号は、制御部４００に送信される。
【００６７】
以上のように、本発明の第４実施形態に係る表示装置は、センサ３０４がフレキシブル表示パネル１０４に形成された認識パターン１４０を認識してハウジング２００に対して出入し、外部に露出されたフレキシブル表示パネル１０４の表示面積をセンシングし、この表示面積に対応するイメージがフレキシブル表示パネル１０４に表示されることにより、フレキシブル表示パネル１０４のフレキシブル特性に最適化したイメージを表示する表示装置が提供される。
【００６８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００６９】
１００：フレキシブル表示パネル
１１０：認識パターン
２００：ハウジング
２１０：ロール部
３００：センサ
【図１】
0005832253.tif 000002
【図２】
0005832253.tif 000003
【図３】
0005832253.tif 000004
【図４】
0005832253.tif 000005
【図５】
0005832253.tif 000006
【図６】
0005832253.tif 000007
【図７】
0005832253.tif 000008
【図８】
0005832253.tif 000009